(57)【要約】釘コイル又はロール（７）の為の搬送安全装置（８）であり、前記ロールは、頭が一つの同じ方向に向けられた状態で長手方向側（４）同士が互いに並んで連結手段（５）により連結されていてロール形状に巻き上げられている細長い帯（６）を形成している頭（２）及び軸（３）を備えている複数の釘（１）から成り、ここにおいては、釘駆動工具（２０）へと適合することを意図されて１つの巻回中の頭部が直ぐ外側の巻回中の頭部を部分的に覆っていて、ここでは搬送安全装置が、釘頭（２）の下の領域で釘ロールの最も外側の巻回を取り囲んでいるリング（９）を示しており、前記取り囲みリング（９）は、釘頭の上側（１２）に隣接して前記ロールの中央（１１）に向かい延出している手段（１０）を示している構造的に安定している材料から成っている。【選択図】    図４
2013525132.tif 000002
【特許請求の範囲】
【請求項１】
釘コイル又はロール（７）の為の搬送安全装置（８）であって、前記ロールは、頭が一つの同じ方向に向けられた状態でそれらの長手方向側（４）に並び互いに連結手段（５）により連結されていてロール形状に巻き上げられている細長い帯（６）を形成している頭（２）及び軸（３）を備えている複数の釘から成り、ここにおいては、釘駆動工具（２０）へと適合することを意図されて１つの巻回中の頭部が直ぐ外側の巻回中の頭部を部分的に覆っていて、前記搬送安全装置が、釘の頭（２）の下の領域で釘ロールの最も外側の巻回を取り囲んでいるリング（９）を示しており、前記取り囲みリング（９）が、釘頭の上側（１２）に隣接して前記ロールの中央（１１）に向かい延出している手段（１０）を示している構造的に安定している材料から成っていて、前記リング（９）及び前記手段（１０）がロール（７）が離れ落ちることを阻止している、ことを特徴とする搬送安全装置。
【請求項２】
前記手段（１０）が、介在する空間を伴って前記リングに沿い位置されている１つ又はそれ以上の棒を備えている、ことを特徴とする請求項１中に請求されている如き搬送安全装置。
【請求項３】
前記取り囲みリング（９）に連通していて、そこを介して釘帯（６）が釘ロール（７）から排出される排出通路（１３）を含む、ことを特徴とする請求項１中に請求されている如き搬送安全装置。
【請求項４】
前記排出通路が、それらの間に通路（１６）を形成する第１及び第２の細長いレール（１４）及び（１５）を含む、ことを特徴とする請求項３中に請求されている如き搬送安全装置。
【請求項５】
前記排出通路（１３）が戻り止め（１８）を含む、ことを特徴とする請求項３又は４中に請求されている如き搬送安全装置。
【発明の詳細な説明】
【技術分野】
【０００１】
この発明は、釘コイル又はロールの為の搬送安全装置に関係しており、前記ロールは、頭が一つの同じ方向に向けられた状態でそれらの長手方向側に沿い互いに連結手段により連結されていてロール形状に巻き上げられている細長い帯を形成している頭及び軸を備えている複数の釘から成り、ここにおいては、釘駆動装置へと適合することを意図されて１つの巻回中の頭部が直ぐ外側の巻回中の頭部を部分的に覆っていて、前記搬送安全装置が、釘の頭の下の領域で釘ロールの最も外側の巻回を取り囲んでいるリングを示している。
【背景技術】
【０００２】
上に概略的に記載された型の搬送安全装置は通常存在している。普通、これらは、釘コイル又はロールの周りを締めつけている弾性帯から成る。しかしながら、これらの帯に内在している欠点は、これらが、前記ロールの広がりの平面を横断する方向において前記ロールを共に保持しないことであり、この為に前記ロールが容易に離れ落ち、そしてロールがばらけてしまうことである。これは、それが駆動工具へと適用されることが出来る以前にロール形状へと帯が再巻き上げされなければならないことを必要とする。この再巻き上げは時間を消費し、そして、差異巻き上げが不正確に行われたり、又は完全に失敗したりすることは全く容易であり、ロールを正しく適合させることが出来ず、最悪の場合には廃棄しなければならないことを必要とする。さらなる欠点は、従来のロールは、そこから釘が駆動工具により駆動される領域へと釘がロールから排出される時に釘を案内する装置を欠いていることである。さらには、ロールから排出された釘がロールに再挿入されることを阻止する戻り止めが無く、そして、従って排出動作を阻止することである。釘が駆動工具により駆動される領域へと釘が排出された時に釘を案内する装置は非常に重要である。なぜならば、この領域における釘の不正確な位置は釘が正しい方法で駆動されないことを意味する。戻り止めに関しては、これらは、常に釘を前記駆動領域へと進行させることを確実にする所定の位置でなければならない必要な部位がある。このような装置が搬送安全装置中の、又は他に釘ロール中の、所定の位置に無い時には、ロールから進行される釘を正しく向ける為に、又は、一旦排出されたロールへと釘が戻ることを阻止する為に、このような装置は前記駆動工具中に配置されていなければならないということを意味する。釘駆動工具中に位置されているこれ等の前述した装置が本質的に有している欠点は、それらが、全てが時間を消費する製造及び組立を要求している幾つかの部位から成っているということである。さらには、これらは、逸脱している外側形状を有している釘ロールの搭載をこれ等が阻止しないという許容性を有していなければならない。釘ロールは最も一般的には形状的に安定しないので、これはしばしば生じる。更には、その所定位置に適合するようロールは手によって案内されなければならならず、これが非常に時間を消費するので、釘駆動工具へのロールの適合には時間を消費する。適合が、冬期間の室外の如き非常に冷たい状況の現場で行われ、そして結果として、使用者の手は冷たいか又は使用者は手袋をする時、この作業は特に時間を消費する。適合が、使用者が梯子の上の高い位置に立っている時に適合が行われるのであれば、このような適合はさらに非常に危険である。
【発明の概要】
【０００３】
この発明に従っている装置は、前記釘ロールが離れ落ちることを阻止し、前記駆動工具中に含まれている排出装置を置き換え、戻り止め配置を示す手段を示し、さらには前記駆動工具に容易に適合する、搬送安全装置を実現するという目的を有している。
【０００４】
この発明は、技術分野により開示されていた型の搬送安全装置に前述した特性を示す搬送安全装置を実現し、これは、前記取り囲みリングが、釘頭の上側に隣接して前記ロールの中央に向かい延出している手段を示している構造的に安定している材料から成っている、ことを特徴としている。
【０００５】
さらに、この発明は、前記手段が、それらの間に介在する空間を伴って前記リングに沿い置かれている１つ又はそれ以上の棒を備えている、ことを特徴としている。
【０００６】
またさらに、この発明は、前記取り囲みリングに連通していて、そこを介して前記釘帯が前記釘ロールから排出される排出装置を示している、ことを特徴としている。
【０００７】
さらに、この発明は、前記排出装置が、それらの間に排出通路を形成する第１及び第２の細長いレールを備えている、ことを特徴としている。
【０００８】
最後に、この発明はまた、前記排出装置が、前記釘帯が進行方向とは正反対の方向に移動することを阻止する戻り止めを含む、ことを特徴としている。
【図面の簡単な説明】
【０００９】
この発明は、添付の図面を特に参照して、これから以下により詳細に記載される。
【図１】図１は、連結手段により互いに連結されている複数の釘から形成されている細長い帯を示している図である。
【図２】図２は、ロールを形成するよう巻き上げられている図１中に図示されている帯を示している図である。
【図３】図３は、この発明に従っている搬送安全装置により供給されている、図２中に図示されているロールを上から斜めに示している図である。
【図４】図４は、図３中に図示されているロールの上面図である。
【図５】図５は、図３中に図示されているロールの側面図である。
【図６】図６は、真下から真っ直ぐに見た図３中に図示されているロールの図である。
【図７】図７は、図６中の円Ａから取られたこの発明にとって本質的な部位の拡大図である。
【図８】図８は、この発明に従っている搬送安全装置により駆動工具へと供給されている釘ロールの適合を概略的に図示している図である。
【図９】図９は、この発明に従っている搬送安全装置により駆動工具へと供給されている釘ロールの適合を概略的に図示している図である。
【発明を実施するための形態】
【００１０】
図１は、頭２及び軸３を備えている釘１を示している。前記釘はその頭を一つの同じ方向に向けていて、そして前記釘はそれらの長手方向側４を互いに並べて配置されている。前記釘は細長い帯６を形成するよう、連結手段５により互いに連結されている。図２においては、帯６が巻き上げられて釘ロール７を形成している。当該技術分野において習熟してる人々により容易に知られるように、図２中に図示されている釘ロールは安定した形状的に安定しておらず、そのために、それは、その形状を維持する為に搬送安全装置が設けられている必要がある。
【００１１】
図３乃至６を参照すると、これらの図は、この発明に従っている搬送安全装置８に設けられている釘ロール７を図示している。前記搬送安全装置は実質的に形状が安定している材料から製造されていて、そして、プラスチック材料，金属材料，又は、実質的に形状が安定している性質を提供している他の材料から形成されていることが出来る。これらの図から明らかな如く、前記安全装置は、釘頭３の真下の領域で釘ロールの外側の巻回を取り囲む環状リング９を示し、それは前記搬送安全装置が釘ロールに適合された時に釘ロールが巻き解けることを阻止する。リング９上には、前記頭の上側１２に隣接して前記釘ロールの中心１１に向かう方向に延出した複数の棒１０が設けられている。図５中では、両方向矢印Ｕが前記釘ロールの広がりの平面を示している。そこにおいては、釘ロールが、一つの巻回中の前記頭が直ぐ外側の巻回中の前記頭を部分的に覆うよう巻き上げられており、前記釘ロールは、前記ロールの広がりの平面を横断するよう図５中に矢印Ｎにより示されている方向に離れ落ちることを阻止されている。棒１０の結果として、前記ロールは、図５中に矢印Ｆにより示されている方向に離れ落ちることを阻止されている。従って、リング９及び棒１０は、前記ロールが意図している工具中に適合される時まで前記ロール７がその形状を維持することを確実にしている。これらの図は、介在空間を伴った２つの棒１０を示している。これらの棒は数において１つ又はそれ以上であって良く、そして、選択された数は、前記ロールを広がりＵの平面の横断の方向においていかにして安定させるかに従っている。図４及び６を参照すると、そこからは、排出装置１３がリング９に連結されていて、夫々が前記リングから延出しそれらの間に通路１６を形成している第１及び第２の細長いレール１４及び１５を備えていることが明らかである。さらにこれらの図からは、細長い帯６が通路１６を通って排出されるように通路１６がリング９に連通していることが明らかである。通路１６は前記釘の軸の幅ｂよりも僅かに大きな幅Ｂを有している。これは、帯６が前記通路を通って排出された時に、排出された釘が前記通路から離れた時に正しく向けられている位置に常に到達するよう排出された釘が案内されることを確実にする。
【００１２】
図７を参照すると、この図は部材１４及び１５から成る排出装置１３を詳細に示している。釘帯６の一部位もまたこの図から明らかである。前記通路の排出口１７には、一点鎖線２０により示されている、前記通路の中心線１９に向かい延出しそして過ぎている装置１８が設けられていることがさらに明らかである。この装置は、それが容易に曲がることが出来て前記通路から釘が排出され装置１８を通過することを許容し、しかし、排出された釘が前記出口を通って前記通路中に通過することは阻止するよう機能する。従って、この装置は、前記釘ロールが前記釘駆動工具中に適合された時に、駆動の為の釘が前記駆動領域へと適切に進行しないという危険性が無くなることを確実にする戻り止めとして機能する。
【００１３】
図８及び９を参照すると、これらの図は、この発明に従っている搬送安全装置８に設けられている釘ロール７を図示しており、同時に、駆動工具２０が高度に部品が剥ぎ取られて示されている。図８中では前記釘ロールはそこからそれが前記駆動工具へと適合される位置に配置されていて、図９中ではそれは前記駆動工具へと適合されている。前記工具は、ハンドル部分２１及び前記釘ロールを支持する為の表面２２を備えている。さらに、前記工具は、その中に駆動頭部２５が位置されている駆動領域２４を有している駆動機構２３を含む。図８から最も明確に明らかになる如く、前記釘ロールの先端の釘は、そこにおいてそれが排出通路１３の外側に排出された位置に配置されている。この位置において、前記釘は、前記ロールが前記工具２０へと設置された時に、図９を見よ、それが駆動頭部２５の真下に配置される位置にある。駆動頭部２５が、ハンマー又はそれと同様なものの如き衝撃負荷装置の手助けにより、矢印Ｐにより図示されている方向に移動された時、前記駆動頭部は前記釘をその上に前記工具が置かれている物体中に駆動する。この駆動動作が行われた時、釘１は連結帯５から分離される。これらの部位はここで問題になっているこの発明には重要ではないので、これらは図面上には示されておらず、そして、この出願においてはさらに記載されない。１つの釘が前記工具から駆動され排出された時、前記釘帯の進行が行われて新たな釘が前記駆動領域に到達する。この進行は前記工具中に配置されている手段を使用して行われ、そして、これらの手段はここで問題になっている発明には重要でないので、これらはそれらの存在が単に述べられる以上の如何なる他の方法において開示されない。前記搬送安全装置が排出通路及び戻り止め構造を含むので、前記駆動工具は少ない部品で製造されて良く、更には、精密な製造を要求せず、そしてその駆動工具は製造において経済的になる。前記駆動装置は前記図中において非常に簡単な装置として図示されている。しかしながら、この装置は、釘銃（nail gun）又は他の同様な装置から成っていて良い。当然のことながら、この発明は、前述した記載に限定されず、添付の特許請求の範囲の範囲によってのみ限定される。
【図１】
2013525132.tif 000003
【図２】
2013525132.tif 000004
【図３】
2013525132.tif 000005
【図４】
2013525132.tif 000006
【図５】
2013525132.tif 000007
【図６】
2013525132.tif 000008
【図７】
2013525132.tif 000009
【図８】
2013525132.tif 000010
【図９】
2013525132.tif 000011
【国際調査報告】
2013525132.tif 000012
2013525132.tif 000013
2013525132.tif 000014
2013525132.tif 000015